(57)【特許請求の範囲】
【請求項１】
互いに直交する上下方向と幅方向と前後方向とを有する面体を備えた呼吸用保護具であって、
前記面体は、前記幅方向の寸法を二等分する中心線から両側方それぞれへ偏倚した部位のうちの少なくとも一方に、拡声器、伝声器、一次電池、二次電池、ガス濃度センサ、温度センサ、圧力センサ、フィルタ、吸収缶、および電動ファンのいずれかの機能部品を収納したケーシングが取り付け、取り外しされるものであり、
前記ケーシングは、前記ケーシングとは別体であって前記面体の外側から前記面体に取り付け、取り外しされる外側部材に対して機械的に連結される第１連結用部位を有し、
前記第１連結用部位は前記ケーシングから前方へ延出しており、
前記外側部材を前記面体に取り付けることによって、前記外側部材の第２連結用部位に前記第１連結用部位が嵌合されることを特徴とする前記呼吸用保護具。
【請求項２】
前記ケーシングが円筒状のものであって、前記第１連結用部位は、前記ケーシングから前記ケーシングの径方向外側に向かって延びる部位である請求項１記載の呼吸用保護具。
【請求項３】
前記面体に取り付け、取り外しされる前記外側部材は、前記フィルタ、前記吸収缶、および前記電動ファンのいずれかの前記機能部品を収納していて、前記ケーシングは前記外側部材が収納している前記機能部品以外の前記機能部品を収納している請求項１または２記載の呼吸用保護具。
【請求項４】
前記面体に取り付け、取り外しされる前記外側部材は、前記面体の前記幅方向の中央部に、前記前方から取り付け、取り外しされるものである請求項１−３のいずれかに記載の呼吸用保護具。
【請求項５】
前記第１連結用部位と前記第２連結用部位とは、互いに機械的に連結されると電気的にも連結された状態になる請求項１−４のいずれかに記載の呼吸用保護具。
【請求項６】
前記ケーシングが前記面体の外側から前記面体における所定位置に挿入されて時計方向および反時計方向のいずれかに１０−１８０度回転すると、前記第１連結用部位が前記面体における所定の取り付け状態となって、前記外側部材の前記第２連結用部位に連結される請求項３−５のいずれかに記載の呼吸用保護具。
【発明の詳細な説明】
【技術分野】
【０００１】
この発明は、肺力式のマスクや送気マスク、電動ファン付き呼吸用保護具等として使用することのできる呼吸用保護具に関する。
【背景技術】
【０００２】
呼吸用保護具の面体に拡声器や伝声器、一次電池、二次電池、各種センサ、フィルタ、電動ファン等の機能部品を取り付けることは、従来周知である。
【０００３】
例えば、実開昭５８−１７７１５１号公報（特許文献１）に記載の半面型マスクでは、面体の縦方向中心線上に拡声器が取り付けられ、その中心線の左右両側にはフィルタとして機能する吸気室が取り付けられている。
【０００４】
特開２００５−３００８９０号公報(特許文献２)に記載の全面マスク用眼鏡では、その眼鏡の使用対象となるマスクにおける面体の両側部にフィルタを含むカートリッジが取り付けられている。
【先行技術文献】
【特許文献】
【０００５】
【特許文献１】実開昭５８−１７７１５１号公報
【特許文献２】特開２００５−３００８９０号公報
【発明の概要】
【発明が解決しようとする課題】
【０００６】
呼吸用保護具における機能部品のうちのフィルタや吸収缶は、消耗品であるから、その呼吸用保護具に対して取り付け、取り外しができるように作られる。一方、機能部品のうちの拡声器や伝声器は、ひとたび面体に取り付けられたならばそのままの状態で長期間使用されることが普通であるから、取り付け状態が簡単には緩むことがないように面体に対して取り付けられていることが好ましい。しかし、面体はそれを洗滌するという場合があり、その場合には、拡声器や伝声器は面体からスムーズに取り外せることが好ましい。
【０００７】
そこで、この発明では、拡声器や伝声器、フィルタ等の機能部品を面体に対して緩むことがないように取り付けておくことができるとともに、必要な場合には面体からスムーズに取り外すこともできるように改良された呼吸用保護具の提供を課題にしている。
【課題を解決するための手段】
【０００８】
前記課題を解決するために、この発明が対象とするのは、互いに直交する上下方向と幅方向と前後方向とを有する面体を備えた呼吸用保護具である。
【０００９】
この発明が特徴とするところは、次のとおりである。すなわち、前記面体は、前記幅方向の寸法を二等分する中心線から両側方それぞれへ偏倚した部位のうちの少なくとも一方に、拡声器、伝声器、一次電池、二次電池、ガス濃度センサ、温度センサ、圧力センサ、フィルタ、吸収缶、および電動ファンのいずれかの機能部品を収納したケーシングが取り付け、取り外しされるものであり、前記ケーシングは、前記ケーシングとは別体であって前記面体の外側から前記面体に取り付け、取り外しされる外側部材に対して機械的に連結される第１連結用部位を有し、前記第１連結用部位は前記ケーシングから前方へ延出しており、前記外側部材を前記面体に取り付けることによって、前記外側部材の第２連結用部位に前記第１連結用部位が嵌合される。
【００１０】
この発明の実施態様の一つにおいて、前記ケーシングが円筒状のものであって、前記第１連結用部位は、前記ケーシングから前記ケーシングの径方向外側に向かって延びる部位である。
【００１１】
この発明の実施態様の他の一つにおいて、前記面体に取り付け、取り外しされる前記外側部材は、前記フィルタ、前記吸収缶、および前記電動ファンのいずれかの前記機能部品を収納していて、前記ケーシングは前記外側部材が収納している前記機能部品以外の前記機能部品を収納している。
【００１２】
この発明の実施態様の他の一つにおいて、前記面体に取り付け、取り外しされる前記外側部材は、前記面体の前記幅方向の中央部に、前記前方から取り付け、取り外しされるものである。
【００１３】
この発明の実施態様の他の一つにおいて、前記第１連結用部位と前記第２連結用部位とは、互いに機械的に連結されると電気的にも連結された状態になる。
【００１４】
この発明の実施態様の他の一つにおいて、前記ケーシングが前記面体の外側から前記面体における所定位置に挿入されて時計方向および反時計方向のいずれかに１０−１８０度回転すると、前記第１連結用部位が前記面体における所定の取り付け状態となって、前記外側部材の前記第２連結用部位に連結される。
【００１５】
この発明において、機能部品というときには、呼吸用保護具に取り付けて使用される拡声器、伝声器、一次電池、二次電池、ガス濃度センサ、温度センサ、圧力センサ、フィルタ、吸収缶および電動ファンのいずれかを意味している。
【発明の効果】
【００１６】
この発明に係る呼吸用保護具では、拡声器を一例とする機能部品の収納されているケーシングが連結用部位を有し、その連結用部位は面体に対して取り付け、取り外しされる部材に対して機械的に連結されるから、ケーシングは面体における取り付け位置が安定し、呼吸用保護具を長期間使用しても面体に対する取り付け状態は緩むことがない。また、その部材が面体から取り外されたときには、ケーシングを面体からスームズに取り外すことができる。
【図面の簡単な説明】
【００１７】
【図１】マスク（呼吸用保護具）の正面図。
【図２】マスクを後方から見たときの部分破断図。
【図３】隔障が外してある図２と同様な図。
【図４】マスクの右側部の一部分を破断して示すマスクの斜視図。
【図５】マスクの右側部の一部分を拡大して示すマスクの部分破断斜視図。
【図６】マスクの右側部の一部分を分解して示す図。
【図７】図４のＶＩＩ−ＶＩＩ線に沿う断面図。
【図８】左側部の一部を破断して示すマスクの斜視図。
【発明を実施するための形態】
【００１８】
添付の図面を参照して、この発明に係る呼吸用保護具の詳細を説明すると、以下のとおりである。
【００１９】
図１は、呼吸用保護具の一例である電動ファン付き呼吸用保護具１(以下では、マスク１という)の正面図である。マスク１は、面体１０を有し、その面体１０には着脱可能な吸排気ユニット２０が組み付けられ、吸排気ユニット２０には着脱可能なフィルタカートリッジ７が組み付けられている。フィルタカートリッジ７には、適宜の形状に成形されたフィルタ（図示せず）が含まれている。面体１０は、ポリカーボネート樹脂等の透明で硬質な合成樹脂で形成されたアイピース２と、ウレタンゴム等の柔軟弾性材料で形成されていてアイピース２の周縁部に取り付けられている接顔パッド３とを有し、アイピース２の内側、すなわちアイピース２とマスク１の着用者の顔面(図示せず)との間には隔障４があって、その隔障４が柔軟弾性材料で形成されている。接顔パッド３には、マスク着用者（図示せず）の頭部に掛け回す締め紐６がバックル６ａを介して取り付けられている。隔障４は、ノーズカップと呼ばれることもあるもので、左右一対の逆止弁４ａがリング状の部材４ｂを介して取り付けられている。図に示された双頭矢印Ａはマスク１の上下方向を示し、双頭矢印Ａに直交する双頭矢印Ｂはマスク１の幅方向を示している。上下方向Ａは、マスク１を例えば防護率試験のための人体模型に装着させたときの上下方向に一致する方向である。幅方向Ｂは、マスク１の着用者の左右方向でもあって、双頭矢印のうちの二重矢印は着用者にとっての右方向を示している。図中の線Ｐ−Ｐは、マスク１の幅方向Ｂの寸法を二等分するように幅方向Ｂの中央部を通り上下方向Ａへ延びる中心線である。
【００２０】
図２は、マスク１を斜め後方から見たときの部分破断図であって、マスク１の内側の構造が明らかになるように、接顔パッド３の一部分が切り欠かれている。双頭矢印Ａ，Ｂに直交する双頭矢印Ｃは、マスク１の前後方向を示し、双頭矢印Ｃにおける二重の矢印は、マスク１の前方向を示している。また、中心線Ｐ−Ｐは隔障４に対してのみ示されている。その隔障４は、中心線Ｐ−Ｐに関して対称に作られていて、中心線Ｐ−Ｐ上には長円形の開孔４ｈが形成されている。隔障４はまた、その開孔４ｈにおいて、後記図４において詳述される第１内側部材２１に形成された長円形の取り付け部２１ｄに着脱可能に嵌められて固定された状態にある。隔障４の下部と第１内側部材２１との間には着用者の呼気を隔障４の内部から後記逆止弁２１ｅに向かって排出するための通気路(図示せず)が形成されている。隔障４の下部にはまた、汗抜き用の透孔４ｃが形成されている。隔障４において、中心線Ｐ−Ｐから右側に偏倚した部位、すなわち隔障４の右側部からは、アイピース２に向かって中空の右側ダクト４ｄが延び、左側に偏倚した部位、すなわち隔障４の左側部からは、アイピース２に向かって中空の左側ダクト４ｅが延びている。これら右側ダクト４ｄと左側ダクト４ｅとは、隔障４の内側と面体１０の外側とに通じていて、マスク着用者の発する音声を隔障４の内側から面体４の外側へ伝えるための伝声路９のうちの右側の伝声路９ｄと左側の伝声路９ｅとの一部分を形成している。ここでいう伝声路９とは、隔障４の内側と面体１０の外側とに通じる中空の部位を意味している。隔障４の上部には隔障４の内側に向かって開く一対の吸気用の逆止弁４ａ（図１，４参照）が取り付けられている。隔障４は、着用者の顔面と対向するように形成されている開口の周縁部分４ｇが着用者の口部と鼻部との近傍にフィットすることによって、顔面との間に吸排気を効率よく反復するための小空間８を作ることができる。ただし、図では、小空間８が前後方向Ｃの後方に向かって、すなわち着用者の顔面に向かって開放状態にある。フィルタカートリッジ７によってろ過された空気は、吸排気ユニット２０を介してアイピース２と隔障４との間の広い空間２ｃに入った後、逆止弁４ａを押し開いて隔障４と顔面との間の小空間８に入り、吸気として利用される。マスク着用者の呼気は、小空間８に向かって吐き出され、隔障４の外側である広い空間２ｃには広がることなく隔障４と第１内側部材２１との間の通気路を通り、次いで排気用の逆止弁２１ｅ(図３参照)を押し開いてマスク１の外へ出る。このように作用する隔障４の存在によって、マスク着用者は、自分の呼気を吸気として吸い込むことを避けることができる。
【００２１】
図３は、図２と同様な図であるが、図２の隔障４を取り外すことによってマスク１の内側の構造が示されている。マスク１の内側において、第１内側部材２１の上部には、上下方向Ａの寸法よりも幅方向Ｂの寸法が大きい吸気用の第２逆止弁２１ｂが取り付けられ、第２逆止弁２１ｂの下方には電動ファンや二次電池、制御回路等についての収納部２１ｃと隔障４のための取り付け部２１ｄとが形成されている。制御回路を介して二次電池に接続されている電動ファンが回転すると、外気がフィルタカートリッジ７を通過し、第２逆止弁２１ｂを開いてアイピース２と隔障４との間の空間２ｃに進入する。第１内側部材２１の下部には呼気を排出するための複数の排気孔２１ｄが形成され、その排気孔２１ｄの外側には排気用の逆止弁２１ｅが開閉可能に取り付けられている。アイピース２における右側部の内面には、後記拡声器ユニット４０をアイピース２に固定するための右側の第２リング４１ｂが見え、左側部の内面には伝声器ユニット４６をアイピース２に固定するための左側の第２リング４１ｃが見えている。第２リング４１ｂと４１ｃとは同じもので、これら第２リング４１ｂ、４１ｃもまた、伝声路９の一部分を形成している。
【００２２】
図４は、フィルタカートリッジ７が取り外した状態にあるマスク１の部分破断斜視図であって、マスク１の右側面部を示している。面体１０におけるアイピース２には、幅方向Ｂの中央部に後記吸排気ユニット２０が取り付けられ、右側面部に拡声器ユニット４０が組み込まれている。拡声器ユニット４０は、この発明においての機能部品の一つである拡声器(スピーカ)１５を面体１０に取り付け、取り外しするためのものであって、マスク１の着用者が発する音声を周囲の者に伝えることを容易にする音声伝達器である。図ではその拡声器ユニット４０が、着脱可能なカバー部材４１によって覆われている。カバー部材４１は、拡声器ユニット４０からの音声がマスク１の外側へよく伝わるように、多数の透孔４２が形成されている。
【００２３】
図４において、吸排気ユニット２０は、アイピース２の幅方向Ｂの中央部に形成された開孔に対して前後方向Ｃの後方から、すなわちアイピース２の内側から嵌合している部材であって大部分がアイピース２の内側に位置する一方、ごく一部分がアイピース２の外側に位置している第１内側部材２１と、前後方向Ｃの前方からアイピース２に取り付けられている部材であって全体がアイピース２の外側に位置し、互いに分離可能に結合している第１，第２外側部材２２，２３とを有する。第１内側部材２１と第１外側部材２２とは、上下方向Ａヘスライド可能なスライド駒２４を図示の如く上方へスライドさせた状態にすることにより、そのスライド駒２４を介して一体になる。ちなみに、図４においてスライド駒２４を下方へスライドさせると、吸排気ユニット２０の右側面部において第１内側部材２１と第１外側部材２２とが分離する。第２外側部材２３は上方部材２３ａと下方部材２３ｂとに二分されていて、これら両部材２３ａ，２３ｂが上下方向Ａにおいて分離可能に結合すると、第１内側部材２１の周縁部分（図示せず）をアイピース２の内面に密着させ、かつ第１内側部材２１が後方に向かってアイピース２の開孔から抜け出ることを防ぐことができる。吸排気ユニット２０の前面部分には、多数の吸気用の透孔２６と、フィルタカートリッジ７を着脱するためのねじ部２７とが形成されている。隔障４の上部には吸気用の逆止弁４ａが取り付けられている。
【００２４】
図５は、図４の部分Ｖの拡大図であるが、図４と異なり、拡声器ユニット４０のためのカバー部材４１の他に、吸排気ユニット２０も部分的に破断されている。拡声器ユニット４０の一部分である後記ケーシング４０ｄの径方向における外側には、第１コネクタ４４のプラグ４４ａがマスク１の前方に向かって延びている。プラグ４４ａは、吸排気ユニット２０に形成された第２コネクタ６６におけるソケット部分６６ａに前後方向Ｃから進入して嵌合している。その嵌合によって、プラグ４４ａは、ケーシング４０ｄが面体１０に対して時計方向Ｄにも反時計方向にも回転することがないように第２コネクタ６６に対して機械的に連結された状態にあるとともに、プラグ４４ａにおける電気的接点４４ｂがソケット部分６６ａにおける電気的接点(図示せず)に接触することによって、電気的にも連結された状態にある。第２コネクタ６６は、吸排気ユニット２０における収納部２１ｃ（図３参照）に内蔵の制御回路(図示せず)に接続されている。その制御回路におけるオン−オフスイッチを操作することによって、拡声器ユニット４０における拡声器１５を作動状態または非作動状態にすることができる。拡声器１５は、マスク１が着用されているときにオン状態が継続して常に作動しているように制御することもできれば、着用者の呼吸動作に応じてオン状態とオフ状態とを選択するように制御することもできる。
【００２５】
図６は、面体１０と拡声器ユニット４０とカバー部材４１とを分解した状態で示す図４と同様な図である。面体１０におけるアイピース２には、拡声器ユニット４０におけるケーシング４０ｄを嵌合させるための第１リング４１ａが固定されている。第１リング４１ａの周面には複数の嵌合溝４０ｆが形成されている。ケーシング４０ｄは、大径部４０ａと中径部４０ｂと小径部４０ｃとを有し(図７参照)、その大径部４０ａには拡声器１５が収納、固定されている。小径部４０ｃの周面には、径方向外側への突出部４０ｅが周方向において間欠的に形成されている。中径部４０ｂの周面からは第１コネクタ４４が延出し、第１コネクタ４４の先端部からはプラグ４４ａが延びている。プラグ４４ａには電気的接点４４ｂが含まれている。面体１０の前方には、面体１０から取り外した状態にある第１外側部材２２が参照符号２２ａを付け、部分的に破断された状態で示されている。
【００２６】
このような図６において、拡声器ユニット４０を面体１０に取り付けるには、最初に第１外側部材２２を面体１０から外して第１外側部材２２ａの状態にしておく。拡声器ユニット４０のケーシング４０ｄは、その突出部４０ｅを仮想線Ｅで示すように第１リング４１ａの軸方向に沿って移動させて嵌合溝４０ｆに挿入し、次いで嵌合溝４０ｆの形状に従って時計方向Ｄとは反対の反時計方向へ回転させると、嵌合溝４０ｆの終点部分に当接することによって面体１０における所定の位置で停止し、プラグ４４ａが面体１０においての所定の取り付け状態となり、面体１０に固定される。次に、第１外側部材２２ａを矢印Ｆが示す図の左方へ、すなわち面体１０の後方に向けて移動させて、既に面体１０に取り付けてある第１内側部材２１と第２外側部材２３とに組み付けることにより第１外側部材２２の状態にすると、ケーシング４０ｄにおけるプラグ４４ａが第１外側部材２２における第２コネクタ６６のソケット部分６６ａへ進入し、第１コネクタ４４と第２コネクタ６６とが機械的に連結した状態になるとともに、電気的にも連結した状態になる。したがって、ケーシング４０ｄやそれに収納されている拡声器１５等は、面体１０に対して時計方向Ｄにも、反時計方向にも動くことがないから、マスク１を長期間使用していても、拡声器ユニット４０の面体１０に対する取り付け状態は緩むことがなく、安定している。このように、マスク１において、プラグ４４は連結用部位として作用し、ソケット部分６６ａはその連結用部位の相手方となる第２の連結用部位として作用する。ケーシング４０ｄが反時計方向へ回転する角度は、ケーシング４０ｄの操作を容易にするために、１０−１８０度の範囲にあることが好ましい。ケーシング４０ｄを面体１０から取り外すには、第１外側部材２２を面体１０から外した後に、ケーシング４０ｄを時計方向Ｄへ回転させ、ケーシング４０ｄを第１リング４１ａから抜き取るようにする。
【００２７】
図７は、図４におけるＶＩＩ−ＶＩＩ線に沿う断面図であって、面体１０に対する拡声器ユニット４０の取り付け状態の詳細が示されている。ただし、拡声器ユニット４０は断面図ではなくて側面図で示されている。その拡声器ユニット４０は円筒状の大径部４０ａと円筒状の中径部４０ｂと円筒状の小径部４０ｃとが形成されている硬質な合成樹脂製のケーシング４０ｄを有し、大径部４０ａには拡声器１５が収納され、小径部４０ｃにはマイクロフォンとアンプ（いずれも図示せず）とが収納されている。その小径部４０ｃは、アイピース２の右側面部に形成されていて面体１０の内外に通じる透孔２ｂに挿入されている。透孔２ｂもまた伝声路９ｄの一部分を形成しており、その透孔２ｂでは、アイピース２の外側から挿入されている第１リング４１ａとアイピース２の内側に位置する第２リング４１ｂとが互いに周方向から離脱可能に嵌合している。小径部４０ｃはその第１リング４１ａの内側にあって、小径部４０ｃの外周面に形成された突出部４０ｅが第１リング４１ａの周面に形成されている嵌合溝４０ｆ(図６参照)に退出可能に進入している。拡声器ユニット４０は、小径部４０ｃと第１リング４１ａとのこのような関係によって、伝声路９ｄに対して、換言するとアイピース２に対して取り付け、取り外し可能な状態にある。なお、第１リング４１ａとアイピース２との間にはパッキング４０ｈが介在している。また、小径部４０ｃの内端部は、右側ダクト４ｄの先端部分ということもできる右側ダクト４ｄの外端部分に形成されていて隔障４の内外に通じる開口４ｆに挿入された状態にあり、その内端部における外周面には、右側ダクト４ｄの内周面が弾性的な伸縮作用によって密着している。アイピース２の外側において、拡声器ユニット４０は取り外し可能なカバー部材４１によって覆われている。カバー部材４１は、合成樹脂製のもので、径方向において弾性変形可能である周壁の内面に形成された小突起４１ｋがケーシング４０ｄの大径部４０ａに図示の如く当接することによって、ケーシング４０ｄに対して着脱可能な状態にある。
【００２８】
図７において、幅方向を示す双頭矢印Ｂにおける二重矢印はマスク１および着用者における右方向であり、前後方向を示す双頭矢印Ｃにおける二重矢印はマスク１および着用者における前方であるから、拡声器ユニット４０とこれらの双頭矢印Ｂ，Ｃとの対比によって明らかなように、拡声器ユニット４０は、マスク１と着用者とにとっての斜め前方を向くように面体１０に取り付けられていて、マスク１の着用者の発する音声をマスク１の側方と前方とに広げることができる。ただし、この発明において、拡声器ユニット４０を面体１０に対して取り付ける態様は、図示例の態様以外の態様に変更することが可能である。
【００２９】
図８は、図４と同様にフィルタカートリッジ７が取り外された状態にあるマスク１の部分破断斜視図であって、マスク１の左側面部を示している。面体１０におけるアイピース２の左側面部はこの発明における機能部品の一つである伝声器４６ｆを有する伝声器ユニット４６が着脱可能な状態で取り付けられていて、その伝声器ユニット４６がカバー部材４７によって覆われている。カバー部材４７には、多数の透孔４８が形成されている。伝声器４６ｆは、当該技術分野において慣用のものであって、その一例には伝声膜（図示せず）を二枚の多孔質板４９の間に介在させたものがある。吸排気ユニット２０は、面体１０の左側面部においても、上方へスライドさせてあるスライド駒２４を介して、第１内側部材２１と第１外側部材２２とが一体になっている。そのスライド駒２４を下方へスライドさせると、面体１０の左側面部においても、第１内側部材２１と第１外側部材２２とが分離して第１外側部材２２を面体１０から取り外すことができて、取り外したものは図６における第１外側部材２２ａとなる。
【００３０】
図示例の伝声器ユニット４６には、拡声器ユニット４０におけるケーシング４０ｄと左右対称を成すように作られたケーシング４６ｄ(図５参照)が使用されている。ケーシング４６ｄは、ケーシング４０ｄと同様にして面体１０に取り付けられるもので、面体１０に固定されているリング部材(図示せず)に対して、リング部材の軸方向に沿って挿入して反時計方向へ回転させると、そのリング部材に嵌合して面体１０に対する所定の取り付け状態となる。ケーシング４６ｄを反時計方向へ回転させる角度は、１０−１８０度の範囲にあることが好ましい。伝声器ユニット４６は、電気的に作動させるものではないから、第１内側部材２１に収納された二次電池に対して電気的に接続される必要はないのであるが、ケーシング４６ｄにはケーシング４０ｄのプラグ４４ａに相当する延出部５４ａが連結用部位として形成されている。延出部５４ａは、吸排気ユニット２０に第２の連結用部位として形成されているソケット部分５２に前後方向Ｃから進入して嵌合しているので、ケーシング４６ｄは面体１０に対して時計方向Ｄにも反時計方向にも回転することがなく、面体１０に対する取り付け状態が安定している。ケーシング４６ｄにおいて、伝声器４６ｆは、ケーシング４０ｄの大径部４０ａに相当する大径部４６ａ(図５参照)に収納され、固定されている。また、左側ダクト４ｅ(図２参照)は、図７における右側ダクト４ｄと同様に面体１０の外側と隔障４の内側とに通じていて、マスク１の左側部における伝声路９ｅ(図２参照)の一部を形成しており、その左側ダクト４ｅの外端部分に伝声器ユニット４６が取り付けられている。伝声器４６ｆもまた、音声伝達器であって、隔障４の内側において着用者の発する音声をマスク１の側方と前方とに広げることができる。マスク１において、伝声器ユニット４６は、図示例の如く拡声器ユニット４０と併設された状態にあると、電気的に作動する拡声器ユニット４０が作動しないという異常な状態が生じたときでも、着用者の意思を周囲の者へ伝えることができる。
【００３１】
図示例のマスク１は、電動ファンを収納する吸排気ユニット２０が取り付けられた、いわゆる電動ファン付きの呼吸用保護具であるが、この発明は、その他の形式の呼吸用保護具、例えば肺力式の防じんマスクや防毒マスク、送気マスク、空気呼吸器等で実施することができる。また、拡声器ユニット４０や電動ファンの電源には、吸排気ユニット２０に収納されている二次電池に代えて、一次電池を使用したり、携帯用の二次電池や一次電池を使用したりすることができる。
【００３２】
この発明はまた、図示例の態様以外の様々な態様で実施することが可能である．例えば、伝声器ユニット４６に代えて二器目の拡声器ユニットを図示例の拡声器ユニット４０とともに使用することができる。すなわち、右側ダクト４ｄと左側ダクト４ｅとのそれぞれに拡声器ユニット４０が使用されている態様のマスク１でこの発明を実施することが可能である。また、右側ダクト４ｄと左側ダクト４ｅとのそれぞれに伝声器ユニット４６が使用されている態様のマスク１でこの発明を実施することも可能である。さらにはまた、面体１０の右側方および左側方のうちの一方に偏倚した部位にのみ拡声器ユニット４０または伝声器ユニット４６を使用する態様でこの発明を実施することもできる。ただし、いずれの場合においても、拡声器ユニット４０におけるケーシング４０ｄと伝声器ユニット４６におけるケーシング４６ｄとは、図示例の如くプラグ４４ａやプラグ４４ａに相当する延出部５４ａを連結用部位として吸排気ユニット２０における第２の連結用部位であるソケット部分６６ａや５２に挿入して、面体１０に対する取り付けを緩むことのない状態のものにする。ケーシングに収納して面体１０の右側方および／または左側方に取り付けることのできる機能部品には、拡声器１５や伝声器４６ｆの他に、一次電池、二次電池、マスク内外いずれかのガス濃度を測定するためのセンサ、マスク内外いずれかの温度を測定するためのセンサ、マスク内の圧力を測定するためのセンサ、フィルタ、吸収缶、吸気用または排気用の電動ファンがある。ただし、拡声器１５、伝声器４６ｆ、フィルタ、吸収缶、電動ファンのうちのいずれかの機能部品を面体１０における幅方向Ｂの中央部に対して着脱する部材とともに使用する場合には、その中央部に対して使用した機能部品以外の機能部品をケーシングに収納して面体１０の側方に偏倚した部位に取り付ける。
【符号の説明】
【００３３】
１    マスク
１０    面体
１５    機能部品(拡声器)
２０    部材(吸排気ユニット)
４０    機能部品（拡声器ユニット）
４０ｄ    ケーシング
４４    連結部位(プラグ)
４６ｄ    ケーシング
４６ｆ    機能部品（伝声器）
６６ａ    第２の連結部位(ソケット部分)
Ａ    上下方向
Ｂ    幅方向
Ｃ    前後方向
Ｐ−Ｐ    中心線
【図１】
0005927698.tif 000002
【図２】
0005927698.tif 000003
【図３】
0005927698.tif 000004
【図４】
0005927698.tif 000005
【図５】
0005927698.tif 000006
【図６】
0005927698.tif 000007
【図７】
0005927698.tif 000008
【図８】
0005927698.tif 000009